(57)【要約】      （修正有）【課題】従来よりも落球し難い、捕球性能の高い捕球具用ウェブ等を提供する。【解決手段】本発明に係る捕球具用ウェブ１０は、上側横バー１と、上側横バーの両端部からそれぞれ横方向に突出する上側パーツ及び下側パーツ２２から構成される一対の耳状部材２と、下側横バー３と、上側横バーと下側横バーとを繋ぐ繋ぎ部材４と、を備える。一対の耳状部材のうち、親指袋５側の耳状部材の上側パーツは、親指袋の前面側に取り付けられ、且つ、下側パーツは、親指袋の背面側に取り付けられる。一対の耳状部材のうち、人差し指袋６側の耳状部材の上側パーツは、人差し指袋の前面側に取り付けられ、且つ、下側パーツは、人差し指袋の背面側に取り付けられる。上側横バーの下側に、上側横バーの前面側と背面側との間を貫通する貫通孔が形成されている。繋ぎ部材は、上側横バーに形成された貫通孔に挿通することで上側横バーの下側に係合する係合部４１を有する。【選択図】図１
2019187910.tif 000002
【特許請求の範囲】
【請求項１】
捕球具の親指袋と人差し指袋との間に設けられるウェブであって、
前記親指袋の先端部と前記人差し指袋の先端部との間に設けられる上側横バーと、
前記上側横バーの両端部に設けられ、前記上側横バーの両端部からそれぞれ横方向に突出する上側パーツ及び下側パーツから構成される一対の耳状部材と、
前記親指袋の中央部と前記人差し指袋の中央部との間に設けられる下側横バーと、
前記上側横バーと前記下側横バーとを繋ぐ繋ぎ部材と、を備え、
前記一対の耳状部材のうち、前記親指袋側の耳状部材の上側パーツは、前記親指袋の前面側に取り付けられ、且つ、前記親指袋側の耳状部材の下側パーツは、前記親指袋の背面側に取り付けられ、
前記一対の耳状部材のうち、前記人差し指袋側の耳状部材の上側パーツは、前記人差し指袋の前面側に取り付けられ、且つ、前記人差し指袋側の耳状部材の下側パーツは、前記人差し指袋の背面側に取り付けられ、
前記上側横バーに、前記上側横バーの前面側と背面側との間を貫通する貫通孔が形成され、
前記繋ぎ部材は、前記上側横バーに形成された前記貫通孔に挿通することで前記上側横バーに係合する係合部を有する、
ことを特徴とする捕球具用ウェブ。
【請求項２】
前記上側横バーの下縁の長さは、前記上側横バーの上縁の長さよりも長い、
ことを特徴とする請求項１に記載の捕球具用ウェブ。
【請求項３】
前記上側横バーは、一端側が前記親指袋の先端部の背面側から延びて、前記上側横バーの背面側から前記上側横バーの上側に挿入され、他端側が前記人差し指袋の先端部の背面側から延びて、前記上側横バーの背面側から前記上側横バーの上側に挿入される紐によって、前記親指袋の先端部と前記人差し指袋の先端部との間に取り付けられる、
ことを特徴とする請求項１又は２に記載の捕球具用ウェブ。
【請求項４】
請求項１から３の何れかに記載の捕球具用ウェブを備える、
ことを特徴とする捕球具。
【発明の詳細な説明】
【技術分野】
【０００１】
本発明は、野球やソフトボール用の捕球具に用いられるウェブ、及び該ウェブを備える捕球具に関する。
【背景技術】
【０００２】
野球用のグラブ等の捕球具で捕球する際、一度捕球具に収まったボールの勢いが衰えず、捕球具用ウェブ（捕球具の親指袋と人差し指袋との間に設けられた捕球用の部材）が備える上側横バー（捕球具の親指袋の先端部と人差し指袋の先端部との間に設けられ、横方向に延びる部材）の上縁からボールが転がり出てしまうことがある。
また、勢いの強いボールをウェブの上側横バーで受けたときに、上側横バーの上縁がボールの勢いにより背面側に反るように変形し、ボールの勢いを抑えることができず、捕球できないこともある。
したがい、より落球し難い、捕球性能の高い捕球具が望まれている。
【０００３】
従来、種々の形態の捕球具用ウェブが提案されている（例えば、特許文献１〜４参照）。
特許文献１に記載のウェブは、横バーの両端部を山型形状に切り込んで突出部を形成したものである（特許文献１の請求項１等）。
特許文献１に記載のウェブによれば、横バーが親指袋や人差し指袋に対してソフトに係止されるため、捕球時に親指袋と人差し指袋とを閉じる動作が容易になると考えられる（特許文献１の段落００２３）。
しかしながら、特許文献１に記載のウェブでは、一度捕球具に収まったボールが上側横バーの上縁から転がり出ることを十分に防止できない。また、上側横バーで受けたボールを捕球し難いという問題を解決できない。
【０００４】
特許文献２に記載のウェブは、前面側（受球面側）と背面側とからなる２重構造をしており、前面側は板状であり、背面側は各指袋と平行な方向における線を基準として外側に膨らむ弧状のスリットを有するものである（特許文献２の請求項１等）。
特許文献２に記載のウェブによれば、捕球衝撃を緩和したり、捕球具を閉じ易い等の利点が得られると考えられる（特許文献２の段落０００８等）。
しかしながら、特許文献２に記載のウェブでは、一度捕球具に収まったボールが上側横バーの上縁から転がり出ることを十分に防止できない。また、上側横バーで受けたボールを捕球し難いという問題を解決できない。
【０００５】
特許文献３に記載のウェブは、ウェブの上端部に螺旋状に巻着された紐と、該紐を挿通するために前記上端部の内側革材及び外側革材の各々にあけられ、かつ、前記内側革材の孔位置を前記外側革材の孔位置よりも下側にずらしてなる、前記革材の左右幅方向に並設された通孔とからなる屈曲手段を備えたものである（特許文献３の請求項１、２等）。
特許文献３に記載のウェブによれば、屈曲手段によってウェブの上縁が前面側（内側）に屈曲するため、一度捕球具に収まったボールがウェブの上縁から転がり出ることや、ウェブの上縁近傍で受けたボールを捕球し難いという問題をある程度解決できると考えられる（特許文献３の段落００１２等）。
しかしながら、特許文献３に記載のウェブは、紐をきつく締めながらウェブの上端部に螺旋状に巻着させて、ウェブの上端部の内側革材を丸めることで、ウェブの上縁を前面側に屈曲させている（特許文献３の段落００２４、図４（ｄ）等）。このため、ウェブの上縁の厚みが厚くなり、捕球具の屈曲性が低下するおそれがある。
【０００６】
特許文献４に記載のウェブは、下側横バーを幅方向に分断して別体としたものである（特許文献４の請求項１等）
特許文献４に記載のウェブによれば、捕球時の衝撃が緩和されると考えられる（特許文献４の段落００１５等）。
しかしながら、特許文献４に記載のウェブでは、一度捕球具に収まったボールが上側横バーの上縁から転がり出ることを十分に防止できない。また、上側横バーで受けたボールを捕球し難いという問題を解決できない。
【先行技術文献】
【特許文献】
【０００７】
【特許文献１】特開２００３−１９０３５５号公報
【特許文献２】特開２００１−１２９１４６号公報
【特許文献３】特開２００８−６０７３号公報
【特許文献４】特開平１０−１５１２３４号公報
【発明の概要】
【発明が解決しようとする課題】
【０００８】
本発明は、上記従来技術の問題点を解決するべくなされたものであり、従来よりも落球し難い、捕球性能の高い捕球具用ウェブ及び捕球具を提供することを課題とする。
【課題を解決するための手段】
【０００９】
前記課題を解決するため、本発明は、捕球具の親指袋と人差し指袋との間に設けられるウェブであって、前記親指袋の先端部と前記人差し指袋の先端部との間に設けられる上側横バーと、前記上側横バーの両端部に設けられ、前記上側横バーの両端部からそれぞれ横方向に突出する上側パーツ及び下側パーツから構成される一対の耳状部材と、前記親指袋の中央部と前記人差し指袋の中央部との間に設けられる下側横バーと、前記上側横バーと前記下側横バーとを繋ぐ繋ぎ部材と、を備え、前記一対の耳状部材のうち、前記親指袋側の耳状部材の上側パーツは、前記親指袋の前面側に取り付けられ、且つ、前記親指袋側の耳状部材の下側パーツは、前記親指袋の背面側に取り付けられ、前記一対の耳状部材のうち、前記人差し指袋側の耳状部材の上側パーツは、前記人差し指袋の前面側に取り付けられ、且つ、前記人差し指袋側の耳状部材の下側パーツは、前記人差し指袋の背面側に取り付けられ、前記上側横バーに、前記上側横バーの前面側と背面側との間を貫通する貫通孔が形成され、前記繋ぎ部材は、前記上側横バーに形成された前記貫通孔に挿通することで前記上側横バーに係合する係合部を有する、ことを特徴とする捕球具用ウェブを提供する。
【００１０】
本発明に係る捕球具用ウェブは、上側横バーの両端部に設けられた一対の耳状部材を備える。各耳状部材は、上側横バーの両端部からそれぞれ横方向に突出する上側パーツ及び下側パーツから構成される。そして、親指袋側の耳状部材の上側パーツは、親指袋の前面側（捕球面側）に取り付けられ、下側パーツは、親指袋の背面側（前面側と反対側）に取り付けられる。同様に、人差し指袋側の耳状部材の上側パーツは、人差し指袋の前面側に取り付けられ、下側パーツは、人差し指袋の背面側に取り付けられる。このため、上側横バーには、上側パーツが設けられた上側横バーの上側（親指袋及び人差し指袋の先端側に相当）が前面側寄りに位置し、下側パーツが設けられた上側横バーの下側（親指袋及び人差し指袋の根元側に相当）が背面側寄りに位置する傾斜（前下がりの傾斜）がつけられることになる。
【００１１】
また、本発明に係る捕球具用ウェブは、上側横バーと下側横バーとを繋ぐ繋ぎ部材を備える。この繋ぎ部材は、上側横バーに形成された貫通孔に挿通することで上側横バーに係合する係合部を有する。前述のように、耳状部材によって、上側横バーに傾斜がつけられる際（換言すれば、上側横バーの下側が背面側寄りに変位する際）、従来のように、繋ぎ部材が上側横バーの背面側に縫着等によって取り付けられる構成であれば、繋ぎ部材が上側横バーを背面側から前面側に押圧する力によって、傾斜が十分につかない（上側横バーの下側が背面側寄りに十分に変位しない）おそれがある。これに対し、本発明に係る捕球具用ウェブの繋ぎ部材は、前述のように、上側横バーに形成された貫通孔に挿通することで上側横バーに係合する係合部によって上側横バーに取り付けられるため、繋ぎ部材が上側横バーを背面側から前面側に押圧する力が低減し、上側横バーを十分に傾斜させることが可能である。
なお、上側横バーを十分に傾斜させるには、貫通孔を上側横バーの下側に形成し、係合部が上側横バーの下側に係合することが好ましい。
【００１２】
以上のように、本発明に係る捕球具用ウェブによれば、上側横バーに、上側横バーの上側が前面側寄りに位置し、上側横バーの下側が背面側寄りに位置する十分な傾斜がつけられる。
このため、一度捕球具に収まったボールが上側横バーの上縁から転がり出ることを防止可能である。また、勢いの強いボールをウェブの上側横バーで受けたときに、上側横バーの上縁が背面側に反る変形が抑制され、捕球可能である。
すなわち、本発明に係る捕球具用ウェブによれば、従来よりも落球し難く、捕球性能が高くなる。
【００１３】
本発明に係る捕球具用ウェブにおいて、前記上側横バーの下縁の長さは、前記上側横バーの上縁の長さよりも長いことが好ましい。
【００１４】
上記の好ましい構成によれば、上側横バーの下縁の長さが上縁の長さよりも長い分、上側横バーの下側の方が上側よりも背面側寄りに変位し易くなる。すなわち、上側横バーに十分な傾斜をつけ易くなる。
【００１５】
また、本発明に係る捕球具用ウェブにおいて、前記上側横バーは、一端側が前記親指袋の先端部の背面側から延びて、前記上側横バーの背面側から前記上側横バーの上側に挿入され、他端側が前記人差し指袋の先端部の背面側から延びて、前記上側横バーの背面側から前記上側横バーの上側に挿入される紐によって、前記親指袋の先端部と前記人差し指袋の先端部との間に取り付けられることが好ましい。
【００１６】
上記の好ましい構成によれば、上側横バーの上側が、一端側が親指袋の先端部の背面側から延びて、上側横バーの背面側から挿入され、他端側が小指袋の先端部の背面側から延びて、上側横バーの背面側から挿入される紐によって取り付けられる。
このため、この紐によって、上側横バーの上側が背面側から前面側に押圧され易く、上側横バーに十分な傾斜をつけ易くなる。
【００１７】
また、前記課題を解決するため、本発明は、上述の捕球具用ウェブを備える、ことを特徴とする捕球具用ウェブとしても提供される。
【発明の効果】
【００１８】
本発明によれば、従来よりも落球し難い、捕球性能の高い捕球具用ウェブ及び捕球具がを提供される。
【図面の簡単な説明】
【００１９】
【図１】本発明の一実施形態に係る捕球具（野球用グラブ）の外観を背面側から撮った写真である。
【図２】図１に示す捕球具用ウェブが備える上側横バーの近傍を示す図である。
【図３】図２に示す耳状部材及び上側横バーの変形例を示す図（前面側から見た図）である。
【図４】図１に示す上側横バー及び従来の一般的な上側横バーの人差し指部近傍を背面側から撮った写真である。
【図５】図１に示す捕球具用ウェブの主要部を示す図である。
【図６】図１に示す繋ぎ部材の変形例を示す図（背面側から見た図）である。
【発明を実施するための形態】
【００２０】
以下、添付図面を適宜参照しつつ、本発明の一実施形態に係る捕球具用ウェブ及び捕球具について説明する。本実施形態では、捕球具が野球用のグラブである場合を例に挙げて説明する。
【００２１】
図１は、本発明の一実施形態に係る捕球具（野球用グラブ）の外観を背面側から撮った写真である。
図１に示すように、本実施形態に係る捕球具１００は、親指を挿入する親指袋５と人差し指を挿入する人差し指袋６との間に設けられた捕球具用ウェブ（以下、適宜、単に「ウェブ」という）１０を備えている。
ウェブ１０は、上側横バー１と、一対の耳状部材２と、下側横バー３と、繋ぎ部材４と、を備えている。
【００２２】
図２は、ウェブ１０が備える上側横バー１の近傍を示す図である。図２（ａ）は、上側横バー１の近傍を背面側から見た図である。図２（ｂ）は、上側横バー１及び耳状部材２を背面側から見た模式図である。図２（ｃ）は、上側横バー１及び耳状部材２を前面側から見た模式図である。なお、図２（ｂ）、（ｃ）に示す破線は、上側横バー１と耳状部材２との境界を示す仮想線である。また、図２（ｂ）、（ｃ）では縫合部１２の図示を省略している。
図１又は図２に示すように、上側横バー１は、親指袋５の先端部と人差し指袋６の先端部との間に設けられている。
【００２３】
一対の耳状部材２は、上側横バー１の両端部（横方向両端部）に設けられている。すなわち、上側横バー１の親指袋５側の端部（図２の右側の端部）と、上側横バー１の人差し指袋６側の端部（図２の左側の端部）との双方に、それぞれ耳状部材２が設けられている。本実施形態の耳状部材２は、上側横バー１と同じ素材（天然皮革や人工皮革など）から切り出されて一体的に形成されている。しかしながら、本発明はこれに限るものではなく、耳状部材２を上側横バー１とは別の素材から形成し、耳状部材２を上側横バー１に縫着等によって取り付けることも可能である。
各耳状部材２は、上側横バー１の端部からそれぞれ横方向に突出する上側パーツ２１及び下側パーツ２２から構成されている。本実施形態では、上側横バー１の略上半分の部材が上側パーツ２１と一体的に形成され、上側横バー１の略下半分の部材が下側パーツ２２と一体的に形成され、上側横バー１の上半分の部材と下半分の部材とを図２（ａ）に示す縫合部１２で縫合することで、上側横パーツ１及び一対の耳状部材２が形成されている。
【００２４】
図２（ｂ）、（ｃ）に示すように、本実施形態の耳状部材２では、上側パーツ２１の下端と下側パーツ２２の上端とが接しており、平面視において（前面側又は背面側から見た場合において）重なる部分を有さないが、本発明はこれに限るものではない。
上側パーツ２１と下側パーツ２２とが、平面視において離れていてもよい。また、上側パーツ２１と下側パーツ２２とが、平面視において重なる部分を有してもよい。
【００２５】
図３は、耳状部材及び上側横バーの変形例を示す図（前面側から見た図）である。
図３に示すように、変形例の上側横バー１Ａでは、図２に示す上側横バー１と異なり、上縁の長さと下縁の長さとが等しくなっている。
また、図３に示すように、変形例の耳状部材２Ａでは、図２に示す耳状部材２と異なり、平面視において上側パーツ２１Ａと下側パーツ２２Ａとが重なる部分を有している。重なる部分の上下方向の寸法（最大寸法）Ｗ１は、上側パーツ２１Ａの上下方向の寸法（最大寸法）Ｗ０及び下側パーツ２２Ａの上下方向の寸法（最大寸法）Ｗ０の５０％以下であることが好ましい。寸法Ｗ１が寸法Ｗ０の５０％以下であれば、上側横バー１Ａの傾斜をつけ易くなる一方、寸法Ｗ１が寸法Ｗ０の５０％を超えると、上側横バー１Ａの傾斜をつけ難くなる。図３に示す変形例では、上側パーツ２１Ａの上下方向の寸法と下側パーツ２２Ａの上下方向の寸法とが同じＷ０であるが、本発明はこれに限るものではなく、両者が異なる寸法であってもよい。この場合、重なる部分の上下方向の寸法Ｗ１は、上側パーツ２１Ａの上下方向の寸法及び下側パーツ２２Ａの上下方向の寸法のうち、小さい方の寸法の５０％以下であることが好ましい。
【００２６】
一対の耳状部材２のうち、親指袋５側の耳状部材２の上側パーツ２１は、親指袋５の前面側に取り付けられ、且つ、親指袋５側の耳状部材２の下側パーツ２２は、親指袋５の背面側に取り付けられている。したがい、図２（ｂ）に示すように、背面側から見た場合、ハッチングを施した上側パーツ２１は見えない（完全に見えない又は殆ど見えない）。一方、図２（ｃ）に示すように、前面側から見た場合、ハッチングを施した下側パーツ２２は見えない（完全に見えない又は殆ど見えない）。
同様に、一対の耳状部材２のうち、人差し指袋６側の耳状部材２の上側パーツ２１は、人差し指袋６の前面側に取り付けられ、且つ、人差し指袋６側の耳状部材２の下側パーツ２２は、人差し指袋６の背面側に取り付けられている。
本実施形態では、耳状部材２の上側パーツ２１及び下側パーツ２２が、いずれも紐（革紐）による締結によって取り付けられているが、本発明はこれに限るものではなく、縫着等によって取り付けることも可能である。
【００２７】
本実施形態では、好ましい形態として、図２（ｂ）に示すように、上側横バー１の下縁の長さＬ２が、上側横バー１の上縁の長さＬ１よりも長くなっている。前述のように、上側横バー１の略上半分の部材は上側パーツ２１と一体的に形成されている。上側横バー１の上縁の長さＬ１は、この一体的に形成された部材（上側横バー１の略上半分の部材及び上側パーツ２１）の上縁の長さのうち、親指袋５又は人差し指袋６の前面側に取り付けられる部分（すなわち、上側パーツ２１）の上縁の長さを引いた残りの長さである。また、前述のように、上側横バー１の略下半分の部材は下側パーツ２２と一体的に形成されている。上側横バー１の下縁の長さＬ２は、この一体的に形成された部材（上側横バー１の略下半分の部材及び下側パーツ２２）の下縁の長さのうち、親指袋５又は人差し指袋６の背面側に取り付けられる部分（すなわち、下側パーツ２２）の下縁の長さを引いた残りの長さである。
【００２８】
なお、図２（ｂ）に示す例では、上側横バー１を背面視（又は前面視）凸状に形成することで、上側横バー１の下縁の長さＬ２＞上側横バー１の上縁の長さＬ１を実現しているが、本発明はこれに限るものではない。例えば、上側横バー１を背面視（又は前面視）台形状に形成するなど、Ｌ２＞Ｌ１である限りにおいて、種々の形態を採用可能である。
【００２９】
図４は、本実施形態の上側横バー１及び従来の一般的な上側横バー１’の人差し指部６近傍を背面側から撮った写真である。図４（ａ）は本実施形態の上側横バー１の人差し指部６近傍を背面側から撮った写真であり、図４（ｂ）は従来の上側横バー１’の人差し指部６近傍を背面側から撮った写真である。
図２（ａ）又は図４（ａ）に示すように、本実施形態の上側横バー１（上側横バー１の上側）は、好ましい形態として、紐（革紐）７による締結によって、親指袋５の先端部と人差し指袋６の先端部との間に取り付けられている。紐７は、一端側が親指袋５の先端部の背面側から延びて、上側横バー１の背面側から上側横バー１の上側に挿入されている。また、紐７は、他端側が人差し指袋６の先端部の背面側から延びて、上側横バー１の背面側から上側横バー１の上側に挿入されている。図２（ａ）に示すように、上側横バー１の上側に挿入された紐７は、上側横バー１の上側に螺旋状に巻着されている。紐７の両端側のいずれもが上側横バー１の背面側から挿入可能にするため、螺旋状に巻着されている紐７の旋回方向が途中で反転している（後述の図５（ｂ）も参照）。
なお、図４（ｂ）に示すように、従来の上側横バー１’の場合、紐７は、他端側が人差し指袋６の先端部の背面側から延びて、上側横バー１’の人差し指袋６側の端面から上側横バー１’内に挿入されている。一端側についても同様に、紐７は、親指袋の先端部の背面側から延びて、上側横バー１’の親指袋側の端面から上側横バー１’内に挿入されている。
【００３０】
図５は、ウェブ１０の主要部を示す図である。図５（ａ）は、ウェブ１０の主要部を背面側から見た図である。図５（ｂ）は、ウェブ１０の主要部を前面側から見た図である。
図１又は図５に示すように、下側横バー３は、上側横バー１の下側（親指袋５及び人差し指袋６の根元側に相当）に位置し、親指袋５の中央部と人差し指袋６の中央部との間に設けられている。
【００３１】
図１又は図５に示すように、繋ぎ部材４は、上側横バー１と下側横バー３とを繋ぐ部材である。図１又は図５に示す例では、繋ぎ部材４は、網状の紐（革紐）から構成されているが、本発明はこれに限るものではなく、後述の図６に示すような縦バーで形成された繋ぎ部材４Ａを用いることも可能である。
繋ぎ部材４は、上側横バー１の下側に形成された貫通孔（上側横バー１の前面側と背面側との間を貫通する貫通孔）１１に挿通することで上側横バー１の下側に係合する係合部４１を有する。具体的には、本実施形態の係合部４１は、繋ぎ部材４を構成する紐を撚ることで形成される環状の部分である。この係合部４１を構成する紐が、貫通孔１１に挿通することで、係合部４１は上側横バー１の下側に係合する。
【００３２】
なお、従来のように、繋ぎ部材が上側横バー１の背面側に縫着等によって取り付けられる構成に比べて、本実施形態の係合部４１の係合による取り付けは、取り付け強度が弱い。このため、捕球性能に影響を及ぼしにくい範囲については、従来と同様の取り付け方法を採用し、取り付け強度を確保することも可能である。
上記の観点より、係合部４１が係合する位置（貫通孔１１が形成される位置）は、上側横バー１の横方向の中心を基準として、親指袋５側及び人差し指袋６側にそれぞれボールの半径程度の範囲内に設定することが好ましい。野球ボールの最大直径は約７．５ｃｍ（最大半径は約３．７５ｃｍ）であるため、捕球具１００が野球用グラブである場合、係合部４１が係合する位置（貫通孔１１が形成される位置）は、上側横バー１の横方向の中心を基準として、親指袋５側及び人差し指袋６側にそれぞれ４ｃｍ程度の範囲内に設定することが好ましい。これにより、捕球性能に影響を及ぼしやすい範囲については、係合部４１による係合で、後述のように捕球性能を高めることが可能である。一方、捕球性能に影響を及ぼしにくい範囲については、必要に応じて従来と同様の取り付け方法を採用し、取り付け強度を確保することも可能である。
【００３３】
図６は、繋ぎ部材の変形例を示す図（背面側から見た図）である。
図６に示す変形例の繋ぎ部材４Ａは、いわゆるクロスウェブで用いられる縦バーで形成されている。変形例の繋ぎ部材４Ａも、前述の繋ぎ部材４と同様に、上側横バー１に形成された貫通孔（上側横バー１の前面側と背面側との間を貫通する幅広の貫通孔）１１Ａに挿通することで上側横バー１に係合する係合部４１Ａを有する。具体的には、変形例の係合部４１Ａは、繋ぎ部材４Ａを構成する縦バーの端部を折り返して縫合部４２で縫合することで形成される環状の部分である。この係合部４１Ａを構成する縦バーが、貫通孔１１Ａに挿通することで、係合部４１Ａは上側横バー１に係合する。
なお、図６に示す変形例の繋ぎ部材４Ａを構成する縦バーは、上側横バー１、下側横バー３及び捕球具本体と繋がっているが、本発明はこれに限るものではなく、縦バーが上側横バー１及び下側横バー３のみと繋がり、下側横バー３と捕球具本体とが縦バーとは別の部材で繋がっている、いわゆるＩウェブ又はＨウェブと称される構成を採用することも可能である。
【００３４】
以上に説明した本実施形態に係るウェブ１０及び捕球具１００によれば、親指袋５側の耳状部材２の上側パーツ２１は、親指袋５の前面側に取り付けられ、下側パーツ２２は、親指袋５の背面側に取り付けられる。同様に、人差し指袋６側の耳状部材２の上側パーツ２１は、人差し指袋６の前面側に取り付けられ、下側パーツ２２は、人差し指袋６の背面側に取り付けられる。このため、上側横バー１には、上側パーツ２１が設けられた上側横バー１の上側が前面側寄りに位置し、下側パーツ２２が設けられた上側横バー１の下側が背面側寄りに位置する傾斜（前下がりの傾斜）がつけられることになる。
【００３５】
特に、本実施形態では、上側横バー１の下縁の長さＬ２が上縁の長さＬ１よりも長い分、上側横バー１の下側の方が上側よりも背面側寄りに変位し易くなる。すなわち、上側横バー１に十分な傾斜をつけ易くなる。
また、本実施形態では、上側横バー１の上側が、一端側が親指袋５の先端部の背面側から延びて、上側横バー１の背面側から挿入され、他端側が小指袋６の先端部の背面側から延びて、上側横バー１の背面側から挿入される紐７によって取り付けられている。このため、図４（ｂ）に示す従来の上側横バー１’に比べて、この紐７によって、上側横バー１の上側が背面側から前面側に押圧され易く、上側横バー１に十分な傾斜をつけ易くなる。
【００３６】
また、本実施形態に係るウェブ１０及び捕球具１００が備える繋ぎ部材４は、上側横バー１に形成された貫通孔１１に挿通することで上側横バー１に係合する係合部４１を有する。このため、繋ぎ部材４が上側横バー１を背面側から前面側に押圧する力が低減し、上側横バー１を十分に傾斜させることが可能である。変形例の繋ぎ部材４Ａについても同様である。
【００３７】
以上のように、本実施形態に係るウェブ１０及び捕球具１００によれば、上側横バー１に、上側横バー１の上側が前面側寄りに位置し、上側横バー１の下側が背面側寄りに位置する十分な傾斜がつけられる。
このため、一度捕球具１００に収まったボールが上側横バー１の上縁から転がり出ることを防止可能である。また、勢いの強いボールをウェブ１０の上側横バー１で受けたときに、上側横バー１の上縁が背面側に反る変形が抑制され、捕球可能である。
すなわち、本実施形態に係るウェブ１０及び捕球具１００によれば、従来よりも落球し難く、捕球性能が高くなる。
【符号の説明】
【００３８】
１、１Ａ・・・上側横バー
２、２Ａ・・・耳状部材
３・・・下側横バー
４、４Ａ・・・繋ぎ部材
５・・・親指袋
６・・・人差し指袋
７・・・紐
１０・・・捕球具用ウェブ
１１、１１Ａ・・・貫通孔
２１、２１Ａ・・・上側パーツ
２２、２２Ａ・・・下側パーツ
４１、４１Ａ・・・係合部
１００・・・捕球具
【図１】
2019187910.tif 000003
【図２】
2019187910.tif 000004
【図３】
2019187910.tif 000005
【図４】
2019187910.tif 000006
【図５】
2019187910.tif 000007
【図６】
2019187910.tif 000008